(57)【要約】【課題】容器の中味を分与するための開口を画定する蓋部分と、シール部材及び弾性部材を含む、閉鎖自在のフラップ部分とを含む再閉鎖自在の蓋を提供することである。【解決手段】上向きに湾曲した表面特徴部３１６を押し下げると閉鎖自在のフラップ部分１０６がヒンジ構造４０２を中心として回転する。弾性部材３１８が溝２１２に圧接されて曲がる又は撓む。後端部３１４は、押し下げられるに従い、ハンドル１１４の中空セクション２１４の創出する空間内に押し込まれる。閉鎖自在のフラップ部分１０６の後端部３１４はアバットメント２１６と接触するまで押し込み得る。後端部３１４がアバットメントと接触すると、前端部３０４が最大限に開放される。閉鎖自在のフラップ部分１０６の前端部３０４が開放すると前端部３０４と注ぎ口１１２との間のシールが解除され、シール部材３０６が開口２０４から外れる。【選択図】図４Ｂ
2011057290.tif 000002
【特許請求の範囲】
【請求項１】
再閉鎖自在の蓋であって、
容器の中味を分与する開口を画定する蓋部分と、
シール部材及び弾性部材を含み、弾性部材が撓み且つシール部材が開口と係合しない第１の位置と、シール部材が開口と係合し且つ弾性部材が非撓み状態となる第２の位置との間でピボット廻動自在である閉鎖自在のフラップ部分と、
を含む再閉鎖自在の蓋。
【請求項２】
蓋部分が注ぎ口及びハンドルを更に含み、ハンドル及び注ぎ口が、蓋部分の実質的に円周部分上で直径位置で対向して位置決めされる請求項１の再閉鎖自在の蓋。
【請求項３】
蓋部分と係合して閉鎖自在のフラップ部分を第２位置に固定するスライドロックを閉鎖自在のフラップ部分上に更に配置した請求項１の再閉鎖自在の蓋。
【請求項４】
スライドロックがタブを含み、該タブが、閉鎖自在のフラップ部分を第２位置とした場合に蓋部分の相当するスロットと係合する請求項３の再閉鎖自在の蓋。
【請求項５】
閉鎖自在のフラップ部分が、該閉鎖自在のフラップ部分を第２位置とした場合に蓋部分に形成した注ぎ口を覆うシールを形成する前端部を更に含む請求項１の再閉鎖自在の蓋。
【請求項６】
閉鎖自在のフラップ部分が、閉鎖自在のフラップ部分を押して第２の位置から第１の位置に移動させるように押し下げ自在の後端部を含む請求項１の再閉鎖自在の蓋。
【請求項７】
閉鎖自在のフラップ部分が、弾性部材を押して撓ませるように押し下げ自在の後端部を含む請求項１の再閉鎖自在の蓋。
【請求項８】
弾性部材がシリコーン製のバネを含む請求項１の再閉鎖自在の蓋。
【請求項９】
蓋部分が、ハンドルを形成する把持自在のセクションを更に含む請求項１の再閉鎖自在の蓋。
【請求項１０】
蓋部分が、容器における相当する溝と合致して蓋部分を容器に固定する溝を含む請求項１の再閉鎖自在の蓋。
【請求項１１】
再閉鎖自在の蓋であって、
容器の中味を分与する開口を画定する蓋部分と、
シール部材及び弾性部材を含み、弾性部材が撓み状態となり且つシール部材が開口から離間する第１の位置と、シール部材が開口と係合し且つ弾性部材が非撓み状態となる第２の位置との間でピボット廻動自在の閉鎖自在のフラップ部分と、
閉鎖自在のフラップ部分上に配置したタブにして、閉鎖自在のフラップ部分を第２の位置とした場合に蓋部分上の相当するスロットと係合する構成を有するタブを含むスライドロックと、
を含む再閉鎖自在の蓋。
【請求項１２】
蓋部分が注ぎ口及びハンドルを更に含み、ハンドル及び注ぎ口が、蓋部分の実質的に円周部分上で直径位置で対向して位置決めされる請求項１１の再閉鎖自在の蓋。
【請求項１３】
蓋部分が、ハンドルを形成する把持自在のセクションを更に含む請求項１１の再閉鎖自在の蓋。
【請求項１４】
閉鎖自在のフラップ部分が、該閉鎖自在のフラップ部分が第２位置にある場合に、蓋部分に形成した注ぎ口を覆うシールを形成する前端部を更に含む請求項１１の再閉鎖自在の蓋。
【請求項１５】
閉鎖自在のフラップ部分が、該閉鎖自在のフラップ部分を押して第２の位置から第１の位置に移動させる構成を有する押し下げ自在の後端部を含む請求項１１の再閉鎖自在の蓋。
【請求項１６】
閉鎖自在のフラップ部分が、弾性部材を撓ませるように押され得る、押し下げ自在の後端部を含む請求項１１の再閉鎖自在の蓋。
【請求項１７】
弾性部材がシリコーン製のバネを含む請求項１１の再閉鎖自在の蓋。
【請求項１８】
蓋部分が、容器における相当する溝と合致して蓋部分を容器に固定する溝を含む請求項１１の再閉鎖自在の蓋。
【請求項１９】
再閉鎖自在の蓋であって、
開口を画定し且つ蓋部分の実質的に円周部分の直径位置で対向位置決めした注ぎ口及びハンドルを含む蓋部分と、該蓋部分の直径位置で注ぎ口及びハンドル間に形成した把持セクションと、
前端部、中央セクション部、後端部、を含み、前端部が注ぎ口を越えて延び、中央セクション部が把持セクションを覆い、後端部が、再閉鎖自在のフラップ部分を閉鎖位置とした場合にハンドルの少なくとも一部を覆う構成とした再閉鎖自在のフラップ部分にして、シール部材と、弾性部材とを更に含み、前記後端部が、シール部材をヒンジ構造を中心として開口から離間するように弾性部材を廻動させると共に、弾性部材を圧縮して閉鎖自在のフラップ部分を閉鎖位置から開放位置に移動させるように押し込み自在である閉鎖自在のフラップ部分と、
閉鎖自在のフラップ部分の中央セクションに配置されたタブを含むスライドロックにして、前記タブが、蓋部分の相当するスロットと合致して閉鎖自在のフラップ部分を閉鎖位置に維持するスライドロックと、
を含む再閉鎖自在の蓋。
【請求項２０】
非撓み状態に復帰する弾性部材が、シール部材をヒンジ構造を中心としてピボット廻動させて該シール部材を開口と係合させて開口をシールさせると共に、前端部をして注ぎ口を覆うシールを形成せしめるように構成される請求項１９の再閉鎖自在の蓋。
【発明の詳細な説明】
【技術分野】
【０００１】
本発明は、一般に容器蓋に関し、詳しくは、容器と共に使用する、自閉式の再閉鎖自在の蓋に関する。
【背景技術】
【０００２】
一般に、大抵の容器は、容器を閉じる及びある時はシールするための、相当する蓋と共に製造される。容器蓋は代表的には、容器の中味を当該容器内部から蓋を貫いて流動させ得る注ぎ口又は類似手段を含み得る。
【０００３】
しかしながら既存の容器蓋の多くはそのデザイン上、代表的にはユーザーが両手を使って蓋を開ける必要がある。代表的には、片手で容器を固定又は確保し、もう片方の手で容器蓋を“捻る”又は“こじ”って開けることで容器の中味にアクセス出来るようになる。
【発明の概要】
【発明が解決しようとする課題】
【０００４】
容器の中味を分与するための開口を画定する蓋部分と、シール部材及び弾性部材を含む閉鎖自在のフラップ部分とを含む再閉鎖自在の蓋を提供することである。
【課題を解決するための手段】
【０００５】
本発明によれば、容器の中味を分与するための開口を画定する蓋部分と、シール部材及び弾性部材を含む閉鎖自在のフラップ部分とを含む再閉鎖自在の蓋が提供され、閉鎖自在の蓋部分は、弾性部材が固定され且つシール部材が開口と係合しない第１位置と、シール部材が開口と係合し且つ弾性部材が固定されない第２位置と、の間で廻動自在である。
【０００６】
１様相において、閉鎖自在のフラップ部分上に、閉鎖自在の蓋部分と係合し且つ該フラップ部分を第２位置に固定するスライドロックが配置され得る。
他の様相では、容器の中味を分与する開口を画定する蓋部分と、シール部材及び弾性部材を含む閉鎖自在のフラップ部分とを含む再閉鎖自在の蓋が提供される。閉鎖自在のフラップ部分は、弾性部材が撓み、シール部材が開口から離間する第１位置と、シール部材が非撓み状態となる第２位置との間で廻動自在である。閉鎖自在のフラップ部分には、タブを含むスライドブロックも配置される。タブは閉鎖自在のフラップ部分を第２位置とした時に蓋部分における相当するスロットと係合するように構成される。
【０００７】
更に他の様相では再閉鎖自在の蓋が提供される。当該蓋は、開口を画定し且つ蓋部分の実質的に円周部分の直径位置で対向位置決めした注ぎ口及びハンドルを含む蓋部分と、該蓋部分の直径位置で注ぎ口及びハンドル間に形成した把持セクションと、を含む。再閉鎖自在の蓋は、前端部と、中央セクション部と、後端部と、を含む再閉鎖自在のフラップ部分にして、前端部が注ぎ口を越えて延び、中央セクション部が把持セクションを覆い、後端部が、再閉鎖自在のフラップ部分を閉鎖位置とした場合にハンドルの少なくとも一部を覆う構成とした再閉鎖自在のフラップ部分をも含む。該再閉鎖自在のフラップ部分には、シール部材と、弾性部材と、ヒンジ構造とも含まれる。再閉鎖自在のフラップ部分の後端部は押し込み自在とされ、当該後端部を押し込むとシール部材がヒンジ構造を中心として回転して開口から離間すると共に、弾性部材が押し込まれ、押し込まれた弾性部材が閉鎖自在のフラップ部分を開放位置に移動させる。閉鎖自在のフラップ部分の中央セクションに、タブを含むスライドロックが配置される。タブは、閉鎖自在のフラップ部分を閉鎖位置に維持するように、蓋部分の相当するスロットと合致する構成とされる。
【発明の効果】
【０００８】
容器の中味を分与するための開口を画定する蓋部分と、シール部材及び弾性部材を含む、閉鎖自在のフラップ部分とを含む再閉鎖自在の蓋が提供される。
【図面の簡単な説明】
【０００９】
【図１Ａ】図１は、本発明に従うスライドロックを持たない再閉鎖自在の容器蓋の斜視図である。
【図１Ｂ】図１Ｂは、本発明に従うスライドロックを持つ再閉鎖自在の容器蓋の斜視図である。
【図２Ａ】図２Ａは本発明の１実施例における再閉鎖自在の容器蓋の蓋部分の平面図である。
【図２Ｂ】図２Ｂは本発明の１実施例における再閉鎖自在の容器蓋の蓋部分の底面図である。
【図３】図３は、本発明の１実施例における閉鎖自在のフラップ部分の断面図である。
【図４Ａ】図４Ａは、本発明の１実施例における閉鎖自在のフラップ部分の、開放した蓋部分との係合状況を示す断面図である。
【図４Ｂ】図４Ｂは、本発明の１実施例における閉鎖自在のフラップ部分の、閉鎖した蓋部分との係合状況を示す断面図である。
【図４Ｃ】図４Ｃは、本発明の１実施例における、スライドロックが蓋部分と係合しない状況での、閉鎖自在のフラップ部分の閉鎖位置での断面図である。
【図５】図５は、１実施例に従う、閉鎖自在のフラップ部分のシール部材と、蓋部分上に画定される開口との間の係合状況の例示図である。
【発明を実施するための形態】
【００１０】
図１Ａ及び１Ｂには、何れも各実施例に従う容器１０２と共に使用するようになっている再閉鎖自在の蓋１００及び１００ａの斜視図が示される。容器１０２には、容器から流れ得るようにした、例えば液体、粉、その他、の様な物質を保持又は収納するために使用する容積を画定する容器胴部１０３を含む。容器胴部１０３は、上方に連続する縁部又はリム位置で終端する、全体に円形、楕円形又は矩形断面を有し得る。リムは、容器胴部１０３の円形の開放上部を画定する。ある実施例ではリム上に、例えば、再閉鎖自在の蓋１００又は１００ａのような蓋を容器胴部１０３に取り付け及び固定するための容器溝（図示せず）が形成され得る。
【００１１】
図１Ａに示すように、ある実施例では再閉鎖自在の蓋１００には、蓋部分１０４と、閉鎖自在のフラップ部分１０６とが含まれる。図１Ｂに示すような他の実施例では、随意的には、スライドロック１０８を閉鎖自在のフラップ部分１０６に一体化させ、当該固定自在のフラップ部分１０６を蓋部分１０４に固定錠止させるとともに、容器胴部１０３をシール出来る。ここで説明する各構成部品は、図１Ａ及び１Ｂに示す再閉鎖自在の蓋１００又は１００ａの何れかに対して参照され、スライドロック１０８及び関連する構成部品は図１Ｂの再閉鎖自在の蓋１００ａの実施例に対して参照されるものとする。
【００１２】
図１Ａ及び１Ｂに示す各実施例を参照するに、再閉鎖自在の蓋１００又は１００ａの蓋部分１０４には全体に円筒形状の胴部１１０が含まれ、該胴部は蓋部分１０４の円周部分上に形成した注ぎ口１１２を有している。注ぎ口１１２は、蓋部分１０４の円周部分に同じく形成したハンドル１１４と直径位置で対向するように形成される。蓋部分１０４には内側溝１１６（図２Ｂ）が設けられる。これら内側溝は、蓋部分１０４が、容器胴部１０３のリム位置に設けた相当する容器溝（図示せず）と係合して容器胴部１０３に固定され得るように位置決めされる。
【００１３】
図２Ａ及び図２Ｂには、１実施例における蓋部分１０４の平面図及び底面図が夫々示される。図２Ａでは蓋部分の上部が、明瞭化のために閉鎖自在のフラップ部分１０６を除去した状態で示される。図２Ａに示すように、蓋部分１０４には、蓋部分１０４の色々の表面特徴部及び構造部を形成又は取り付け得る環状のプラットフォームセクション２０２が含まれる。以下に説明するように、蓋部分の各種表面特徴部及び構造部は、閉鎖自在のフラップ部分１０６の一部である他の各種表面特徴部及び構造部と合致するように相当する、又は作動上相互作用する。
【００１４】
ある実施例では、表面特徴部及び構造部の各々は、注ぎ口１１２及びハンドル１１４間で蓋の直径位置に沿って整列する。表面特徴部及び構造部がこのように整列することにより、所望であれば片手のみでの閉鎖自在のフラップ部分１０６の操作が容易化される。
プラットフォームセクション２０２は、図２Ａに示すように、蓋部分１０４の裏側からプラットフォームセクション２０２を抜ける主流路を提供する開口又は孔２０４を画定する。開口２０４は注ぎ口１１２に直近して位置決めされる。開口２０４は、蓋部分１０４を容器胴部１０３に連結した場合に注ぎ口１１２を介して容器胴部１０３から容器１０２の中味を注ぎ出し可能とする。
【００１５】
プラットフォームセクション２０２上の、開口２０４のハンドル１１４側に直近する位置には隆起セクション２０６が形成される。隆起セクション２０６は全体に、把持可能なセクション１１８（図１Ａ、１Ｂ）を提供する材料のループとして形成される。該ループは、把持可能なセクション１１８をプラットフォームセクション２０２から分離させる開放空間１１９（図１Ａ、１Ｂ）にして、ユーザーが当該セクション１１８の下方で指を曲げる状態で再閉鎖自在の蓋を把持出来るようにする開放空間１１９を画定する。図１Ｂの実施例では、閉鎖自在のフラップ部分１０６を隆起セクション２０６上に位置決めすると、ユーザーは親指がスライドロック１０８の移動方向に揃う状態で再閉鎖自在の蓋１００ａを把持し得、かくして、スライドロック１０８をロック及び非ロック位置間でずっと容易に操作出来るようになる。
【００１６】
隆起セクション２０６はプラットフォームセクション２０２上で注ぎ口１１２及びハンドル１１４よりも下になる高さで位置決めされる。これにより、閉鎖自在のフラップ部分１０６を以下に説明するように隆起セクション２０６上に位置決めすると、閉鎖自在のフラップ部分１０６が、注ぎ口１１２、ハンドル１１４及び以下に説明するその他構造部と作動上正しく合致される。
【００１７】
図２Ａに示すように、把持可能なセクション１１８は蓋部分１０４の把持手段を提供するのに加え、閉鎖自在のフラップ部分１０６を、その開閉時にピボット動作又は回転させるポイントを提供するヒンジポスト２１０を位置決めする支持表面をも提供し得る。図１Ｂの実施例では、スライドロックを使用して閉鎖自在のフラップ部分１０６をロック位置に配置するに際し、スライドロック１０８と共に作動上使用する支持表面上に位置決めされ得る。
【００１８】
再度再閉鎖自在の蓋１００及び１００ａを参照するに、プラットフォームセクション２０２の、ハンドル１１４の直ぐ前方の部分には、ガイド壁２１３を有する溝２１２が形成される。溝２１２は閉鎖自在のフラップ部分１０６に設けた、バネ機構又は類似の弾性機構のような弾性部材を受け且つ該弾性部材と係合するように構成される。溝２１２の、ガイド壁２１３を含む表面は、弾性部材に先に説明したように適宜の力を行使した場合に当該弾性部材が当該表面上で撓む、曲がる、又はコイル巻きされ得る反応表面を提供する。
【００１９】
ハンドル１１４は、プラットフォームセクション２０２から上方に離れる方向に開放する、空洞又は中空セクション２１４を画定する。中空セクション２１４は、閉鎖自在のフラップ部分１０６をヒンジポスト２１０を中心として回転させて以下に説明するように開放させた場合に閉鎖自在のフラップ部分１０６の後方部分を受ける空間を創成する。ある実施例では中空セクション２１４には、閉鎖自在のフラップ部分１０６の中空セクション内での移動を妨害又は制限するアバットメント２１６を設け得る。中空セクションに入る閉鎖自在のフラップ部分１０６の動きは、当該閉鎖自在のフラップ部分１０６の後端部３１４とアバットメント２１６の表面との係合により制限される。
【００２０】
図３には、スライドロック１０８を含む１実施例に従う閉鎖自在のフラップ部分１０６の断面図が示される。閉鎖自在のフラップ部分１０６は、スライドロック１０８及び図１Ａに示すような関連する構成部品を持たない点を除き、図３に示すそれと同じ構成を有する。
【００２１】
閉鎖自在のフラップ部分１０６には、該閉鎖自在のフラップ部分１０６の長さ方向に延在する、先に説明したように蓋部分１０４に配置した表面特徴部及び構造と係合する構成の表面特徴部及び構造をその上部に有する上部壁又は上部表面３０２を含む。
【００２２】
ある実施例では上部表面３０２は、注ぎ口１１２（図２Ａ）を覆って嵌合する寸法及び構成とした前端部３０４を含む。前端部３０４は、再閉鎖自在のフラップ部分１０６を閉鎖位置に移動すると注ぎ口１１２にシール状態で付着する。
【００２３】
上部表面３０２には、隆起した又は上方に湾曲した表面特徴部３１６を含む後端部３１４をも含む。隆起した表面特徴部３１６は、ユーザーがハンドル１１４を把持した場合にその上部にユーザーの、例えば親指が配置され得る抵抗面を提供する。以下に説明するように抵抗面は、ユーザーが親指をそこに捕捉又は把持させ、湾曲した表面特徴部３１６の後端部３１４をハンドル１１４の中空セクション２１４内に押し込み、かくしてフラップ部分の前端部３０４を開放位置にピボット廻動させ得る表面を提供する。
【００２４】
閉鎖自在のフラップ部分１０６の前端部３０４の内側にはシール部材３０６が含まれる。シール部材３０６は上部表面３０２から適宜長さ伸延し、蓋部分１０４（図２Ａ）の開口２０４を覆って載置される。シール部材３０６は開口２０４を覆って嵌合するように寸法形状付けされると共に、閉鎖自在のフラップ部分１０６が閉鎖位置にある場合は開口２０４を能動的にシールする構成を有する。シール部材３０６は、全体に円筒形状を有するように示したが、閉鎖自在のフラップ部分１０６を閉鎖位置とした場合に開口２０４を覆って嵌合し、適宜のシール力を提供する任意の形状を有し得る。
【００２５】
閉鎖自在のフラップ部分１０６は、シール部材に隣り合う位置に、上部表面３０２に一体的に切断、加工又は形成したロック溝３０８を含み得る。スライドロック１０８は、開放溝又はロック溝３０８内に弾発的に係入して当該ロック溝３０８内を移動又は摺動可能である。ロック溝３０８は、スライドロック１０８のステム３０９と係合する構成の開放溝３１０を含み、開放溝３１０は、全体的にスライドロック１０８の移動路に沿って配向された外側に突出するタブ３１２で終端する。ロック溝３０８及び相当する開放溝３１０は、これに限定しないが、四角形及び円形を含む様々な断面形状を有し得る。
【００２６】
ある実施例では、スライドロック１０８は、ステム３０９が第１位置又はロック位置と、第２位置又はアンロック位置との間で開放溝３１０内を摺動するようにロック溝３０８と係合する構成を有する。
【００２７】
ロック溝３０８は、タブ３１２を第１の方向に摺動させて蓋部分１０４の相当するスロット溝２０８（図２及び図４）に係合させることでロック位置に移動する。スロット溝２０８は、タブ３１２を捕捉することで、閉鎖自在のフラップ部分１０６を開放しない状態に維持し且つ容器１０２の中味が分与されないようにする構成を有する。逆に、所望であればタブ３１２がスロットから外れる第２方向にスライドロック１０８を移動して閉鎖自在のフラップ部分１０６を開放させ得る。
【００２８】
図３を再度参照するに、閉鎖自在のフラップ部分１０６上に弾性部材３１８が設けられ、シリコーンのような適宜のエラストマー材料からなる自動蓋偏倚手段を提供している。蓋を自己閉鎖可能とする弾性部材３１８は、圧縮され、撓まされ又は折り曲げられると、非圧縮形状に復帰する方向の一定バイアスを有する。ある実施例では、弾性部材３１８は上部表面３０２上の位置決め部材３２０から内方に伸延され、蓋部分１０４の溝２１２に入る。弾性部材３１８は平頂構造体、材料の平坦ストリップその他の、必要なバイアス手段を提供する好適形状に形成され得る。あるいは弾性部材は、例えば、コイルバネその他のような任意の既知のバイアス構造体の形状を有し得る。更には弾性部材３１８は、シリコーン以外に、例えば金属その他材料から作製出来る。
【００２９】
以下に説明するように、弾性部材３１８は、当該弾性部材３１８が各ガイド壁２１３間の溝２１２の表面と整列し且つ係合するように蓋部分１０４の内部に伸延される。閉鎖自在のフラップ部分１０６に適正な下向き力を付加すると、弾性部材３１８が溝２１２からの反力を受けて圧縮されて撓み、折り曲げ又はコイル巻きされる。弾性部材と溝とが係合すると、前記下向き力を適正に維持しない場合は閉鎖自在のフラップ部分１０６を閉鎖位置に全体に復帰させるバイアスが閉鎖自在のフラップ部分１０６に発生する。
【００３０】
図４Ａ及び４Ｂには、本実施例での、再閉鎖自在の蓋１００ａの閉鎖自在のフラップ部分１０６がその開閉の各位置で蓋部分１０４と係合する作動状況及び、スライドロック１０８のロック位置及びアンロック位置が示される。図４Ｃには、再閉鎖自在の蓋１００の閉鎖自在のフラップ部分１０６が、その閉鎖位置にある蓋部分１０４とスライドロック１０８無しで係合する作動状況が例示される。再閉鎖自在の蓋１００の開放位置が図４Ｂに示され、本図ではスライドロック１０８及びその間連部品は示されない。
【００３１】
図４Ａ及び４Ｃでは再閉鎖自在の蓋１００ａは及び１００はその第１位置又は閉鎖位置で示される。ある実施例では蓋部分１０４は、容器胴部１０３（図１Ａ）上に配置した相当する溝上に当該蓋部分１０４を固定するために使用する内側溝１１６を含む。蓋部分１０４を容器胴部１０３に固定するその他の既知の方法、例えば、蓋部分１０４を容器胴部１０３のリム上に嵌合させる方法の如きを使用出来る。
【００３２】
閉鎖自在のフラップ部分１０６は、その閉鎖位置では蓋部分１０４と係合して容器胴部１０３を能動的にシール又は閉鎖することが出来る。
【００３３】
図４Ａ及び４Ｃに示すようなその第１又は閉鎖位置において、閉鎖自在のフラップ部分１０６の前端部３０４は注ぎ口１１２を覆い、当該注ぎ口をシールする。開口２０４とシール状態下に合致して、容器１０２の中味を再閉鎖自在の蓋を確実に通過させないようにするシール部材３０６が開口２０４を覆って配置及び座着される。
【００３４】
開口２０４とシール部材３０６との間の係合状況の１具体例が図５に示される。この場合、シール部材３０６は位置決め部材５０４に嵌合し、形成され又は連結される可撓性及び弾性の端部５０２を含む。端部５０２は、開口２０４及び位置決め部材５０４の直径よりも大きな寸法形状とされる。位置決め部材５０４は、閉鎖自在のフラップ部分１０６を閉鎖位置とした場合に当該位置決め部材５０４の一部分が開口２０４に進入する長さを有する。従って、位置決め部材５０４が開口２０４内に伸延し得ることから、シール部材３０６を開口２０４と係合させると位置決め部材５０４が弾性の端部５０２を開口２０４内に押し込む。オーバーサイズの弾性の端部５０２は開口２０４の内壁５０６に“押し嵌め”され、かくして端部５０２と開口２０４との間にシールが創成される。
【００３５】
図４Ａを参照するに、弾性部材３１８は、その閉鎖位置にある間は実質的に非撓み位置又は非圧縮位置にあることから、閉鎖自在のフラップ部分１０６に固有の偏倚は生じない。
【００３６】
再閉鎖自在の蓋１００ａにおいて、閉鎖自在のフラップ部分１０６を閉鎖するとスライドロック１０８が“ロック”に配置され、閉鎖自在のフラップ部分１０６が開放状態に維持され得る。一般に、ユーザーは例えば、スライドロック１０８の外側部分上に親指を位置決めして把持セクション１１８を把持し得る。好都合には、ユーザーは片手でスライドロック１０８を操作出来る。
【００３７】
ある実施例では、スライドロック１０８のステム３０９は、開放溝３１０の内部で摺動し、その第１の位置又はロック位置と、第２の位置又はアンロック位置との間でロック溝３０８に沿って移動する構成とされる。
図４Ａに示すように、スライドロック１０８は注ぎ口１１２とハンドル１１４との間で蓋部分１０４の直径位置に一般に沿った移動路４０４に沿って可動である。スライドロック１０８のタブ３１２は移動路４０４に沿って外側に配向され、かくして、スライドロック１０８を第１の方向、例えば、注ぎ口１１２の方向に移動するとスロット４０６に入り且つ係合する（図４Ｂ）。スロット４０６は、閉鎖自在のフラップ部分１０６の前端部３０４とシール部材３０６とが閉鎖され且つ注ぎ口１１２及び開口２０４の夫々とのシール関係を維持するようにタブ３１２を捕捉する。更には、スライドロック１０８をロック位置とすると、閉鎖自在のフラップ部分１０６の後端部３１４を押し下げて前端部３０４を開放させることが出来ない。
【００３８】
図４Ａ及び４Ｃを参照するに、閉鎖自在のフラップ部分１０６を開放させる場合は、当該閉鎖自在のフラップ部分１０６をピボット点を中心として回転させて前端部３０４を上昇及び開放させれば良い。そうした回転を容易化させるためのヒンジ構造４０２を、上部表面３０２上でヒンジポスト２１０と係合するように位置決め出来る。
【００３９】
再閉鎖自在の蓋１００ａの閉鎖自在のフラップ部分１０６を図４Ｂに示すように開放動作させる場合、ユーザーは、スロット４０６からタブ３１２を外す第２の方向でロック溝３０８内を移動路４０４に沿ってスライドロック１０８を移動させれば良い。
【００４０】
図４Ｂを参照するに、ユーザーは、スライドロック１０８が再閉鎖自在の蓋１００ａにおけるようにアンロック位置とされた場合、又は再閉鎖自在の蓋１００におけるようにスライドロックを使用しない場合、の何れの場合でも、再閉鎖自在のフラップ部分１０６の後端部３１４上の上向きに湾曲した表面特徴部３１６に親指が触れないようにハンドル１１４を把持し得る。ユーザーは、ボタンを押し込む又は押すように又は類似の様式下に、上向きに湾曲した表面特徴部３１６を押し下げ又は押し込み得る（矢印４１０）。後端部３１４を押し下げると閉鎖自在のフラップ部分１０６がヒンジ構造４０２を中心として回転する。弾性部材３１８が溝２１２に圧接されて曲がる又は撓む。後端部３１４は、押し下げられるに従い、ハンドル１１４の中空セクション２１４の創出する空間内に押し込まれる。閉鎖自在のフラップ部分１０６の後端部３１４はアバットメント２１６と接触するまで押し込み得る。後端部３１４がアバットメントと接触すると、前端部３０４が最大限に開放される。閉鎖自在のフラップ部分１０６の前端部３０４が開放すると前端部３０４と注ぎ口１１２との間のシールが解除され、シール部材３０６が開口２０４から外れる。
【００４１】
前端部は閉鎖自在のフラップ部分１０６の後端部３１４を押し下げ状態に維持する限り開放状態に維持される。従って、閉鎖自在のフラップ部分１０６を開放位置に保持するには、撓んだ弾性部材３１８によるバイアス力に打ち勝つように後端部３１４への押し下げ力を維持すればよい。閉鎖自在のフラップ部分１０６は、偏倚力に対する適宜の反力が無くなると閉鎖位置に自動復帰する。
ユーザーが後端部３１４への反力を解除すると弾性部材３１８は折り戻され、閉鎖自在のフラップ部分１０６がヒンジ構造４０２を中心として逆回転（矢印４１２）して閉鎖位置に戻る。
以上、本発明を実施例を参照して説明したが、本発明の内で種々の変更をなし得ることを理解されたい。
【符号の説明】
【００４２】
１００、１００ａ  再閉鎖自在の蓋
１０２  容器
１０３  容器胴部
１０４  蓋部分
１０６  フラップ部分
１０８  スライドロック
１１２  注ぎ口
１１４  ハンドル
１１６  内側溝
１１８  把持セクション
１１９  開放空間
２０２  プラットフォームセクション
２０４  開口
２０６  隆起セクション
２０８  スロット溝
２１０  ヒンジポスト
２１２  溝
２１３  ガイド壁
２１４  中空セクション
２１６  アバットメント
３０２  上部表面
３０４  前端部
３０６  シール部材
３０８  ロック溝
３０９  ステム
３１０  開放溝
３１２  タブ
３１４  後端部
３１６  表面特徴部
３１８  弾性部材
３２０  位置決め部材
４０２  ヒンジ構造
４０４  移動路
４０６  スロット
４１０、４１２  矢印
５０２  弾性の端部
５０４  位置決め部材
５０６  内壁
【図１Ａ】
2011057290.tif 000003
【図１Ｂ】
2011057290.tif 000004
【図２Ａ】
2011057290.tif 000005
【図２Ｂ】
2011057290.tif 000006
【図３】
2011057290.tif 000007
【図４Ａ】
2011057290.tif 000008
【図４Ｂ】
2011057290.tif 000009
【図４Ｃ】
2011057290.tif 000010
【図５】
2011057290.tif 000011